(57)【特許請求の範囲】
【請求項１】
原信号を遅延する第１の遅延手段と、
上記第１の遅延手段の出力信号を遅延する第２の遅延手段と、
上記第１及び第２の遅延手段の入力信号及び出力信号をそれぞれ上記第１の遅延手段の出力信号から減算する減算回路と、
上記減算回路からの出力信号のそれぞれ正極性及び負極性の信号を取り出す信号分離手段と、
上記信号分離手段からの出力信号の内の互いに異極性の信号同士を乗算及び加算すると共に、上記加算信号をそれぞれ０値及び正負の所定の値に３値化して上記乗算信号に乗算する演算手段とを有し、
上記演算手段の出力信号から上記原信号の傾斜部に相当する補正信号を得る
ことを特徴とする映像信号の輪郭補正回路。
【請求項２】
上記演算手段の出力信号を上記第１の遅延手段の出力信号に加算して上記原信号の輪郭補正を行う
ことを特徴とする請求項１記載の映像信号の輪郭補正回路。
【請求項３】
上記信号分離手段は、最大値回路及び／または最小値回路に上記減算信号と０値とをそれぞれ供給して上記正極性及び負極性の信号を取り出す
ことを特徴とする請求項１記載の映像信号の輪郭補正回路。
【請求項４】
上記加算信号の３値化は、上記加算信号を出力振幅制限の加わった高利得の増幅器に供給して行う
ことを特徴とする請求項１記載の映像信号の輪郭補正回路。
【発明の詳細な説明】
【０００１】
【発明の属する技術分野】
本発明は、例えばカラーテレビジョン受像機のような映像信号を扱う機器に使用して好適な映像信号の輪郭補正回路に関するものである。
【０００２】
【従来の技術】
例えばテレビジョン受像機において、表示される映像信号の画質を向上させる目的で輪郭補正回路が用いられている。このような映像信号の輪郭補正回路としては、従来から例えば特開昭６１−２２４７８３号公報に記載されたような回路が知られている。
【０００３】
すなわちこの回路においては、映像信号を所定時間遅延した信号と元の映像信号とを加算し、この加算信号を元の映像信号を所定時間の１／２遅延した信号から減算するものである。これによれば、公報中に示されるように映像信号のエッジ部分に、いわゆるプリシュートとオーバーシュートが付加され、エッジ部分の傾斜が急峻にされて映像信号の輪郭が補正されるものである。
【０００４】
ところがこの回路において、上述のプリシュートとオーバーシュートの付加によって、例えば輝度信号の輪郭補正には所望の画質改善の効果が得られる。しかしながら色差信号（色信号）の場合には、上述のプリシュートとオーバーシュートが付加されるためにエッジ部分の色相が崩れて不自然な画像となり、かえって画質が劣化してしまう恐れが生じるものであった。
【０００５】
これに対して、本願出願人は先に、プリシュートとオーバーシュートを付加すること無く、エッジ部分の傾斜のみを急峻にする輪郭補正回路を提案した（特開平２−１６２９６９号公報参照）。
【０００６】
すなわちこの回路においては、原信号を遅延する第１の遅延手段と、この第１の遅延手段の出力信号を遅延する第２の遅延手段とを設ける。そしてこれらの遅延手段の入出力信号をそれぞれ加減算して第１〜第３の輪郭補正信号を形成し、これらの第１〜第３の輪郭補正信号から最大値及び最小値等の論理演算によって、映像信号の変化部分を補正する第４の輪郭補正信号を形成するものである。
【０００７】
ところがこの回路において、演算回路をアナログ回路で構成した場合には、演算が加減算及び最大値、最小値回路のみであるために、原信号の傾斜部とは時間的に無関係な位置に補正信号が形成され、画質を損ねてしまう恐れがある。またこの回路において、補正の効果を高めようとすると遅延手段の遅延時間を長く取る必要があり、これによって回路規模の増大を招くものであった。
【０００８】
【発明が解決しようとする課題】
この出願はこのような点に鑑みて成されたものであって、解決しようとする問題点は、従来の回路では、プリシュート、オーバーシュートの付加により色差信号（色信号）の色相が崩れてかえって画質が劣化してしまう恐れがあり、また無関係な位置に補正信号が形成されて画質を損ねてしまう恐れや、回路規模の増大を招く恐れがあったというものである。
【０００９】
【課題を解決するための手段】
このため本発明においては、第１及び第２の遅延手段からの信号を互いに減算し、この減算信号を正極性及び負極性に分離し、この分離信号の異極性同士を乗算及び加算し、この加算信号を３値化した信号を乗算信号に乗算して補正信号を得るようにしたものであって、これによれば、簡単な構成で画質を損ねること無く、良好な映像信号の輪郭補正を行うことができる。
【００１０】
【発明の実施の形態】
すなわち本発明においては、原信号を遅延する第１の遅延手段と、第１の遅延手段の出力信号を遅延する第２の遅延手段と、第１及び第２の遅延手段の入力信号及び出力信号をそれぞれ第１の遅延手段の出力信号から減算する減算回路と、減算回路からの出力信号のそれぞれ正極性及び負極性の信号を取り出す信号分離手段と、信号分離手段からの出力信号の内の互いに異極性の信号同士を乗算及び加算すると共に、加算信号をそれぞれ０値及び正負の所定の値に３値化して乗算信号に乗算する演算手段とを有し、演算手段の出力信号から原信号の傾斜部に相当する補正信号を得てなるものである。
【００１１】
【実施例】
以下、図面を参照して本発明を説明するに、図１は本発明を適用した映像信号の輪郭補正回路の一例の構成を示すブロック図である。
【００１２】
この図１において、入力端子１には原信号の映像信号が供給される。この入力端子１からの映像信号が所定遅延時間（Ｔ）の第１の遅延回路２Ａに供給され、この第１の遅延回路２Ａの出力信号が同じく所定遅延時間（Ｔ）の第２の遅延回路２Ｂに供給される。さらにこれらの第１の遅延回路２Ａの入出力信号が減算回路３に供給され、第２の遅延回路２Ｂの入出力信号が減算回路４に供給されて、それぞれ第１の遅延回路２Ａの出力信号を被減算信号として減算が行われる。
【００１３】
これらの減算回路３からの信号が最小値回路５及び最大値回路６に供給され、減算回路４からの信号が最小値回路７及び最大値回路８に供給されると共に、これらの回路５〜８にそれぞれ交流的に０レベルの電位が供給される。ここで最小値回路５、７及び最大値回路６、８はそれぞれ供給される信号の最小のものまたは最大のものを取り出す回路である。
【００１４】
これにより最小値回路５、７からはそれぞれ減算回路３、４から供給された信号の負極性の部分が取り出され、最大値回路６、８からはそれぞれ正極性の部分が取り出される。さらにこれらの最小値回路５及び最大値回路８からの信号が乗算回路９及び加算回路１０に供給される。また最小値回路７及び最大値回路６からの信号が乗算回路１１及び加算回路１２に供給される。
【００１５】
そしてこれらの乗算回路９からの信号が乗算回路１３に供給されると共に、加算回路１０からの信号が所定の利得（−ｋ１）の増幅回路１４、リミッタ回路１５を通じて乗算回路１３に供給される。また乗算回路１１からの信号が乗算回路１６に供給されると共に、加算回路１２からの信号が同じく所定の利得（−ｋ１）の増幅回路１７、リミッタ回路１８を通じて乗算回路１６に供給される。
【００１６】
さらにこれらの乗算回路１３、１６からの信号が、それぞれ利得（ｋ２）の増幅回路１９と、利得（ｋ２′）の増幅回路２０を通じて加算回路２１に供給される。そしてこの加算信号が加算回路２２に供給され、上述の第１の遅延回路２Ａの出力信号と加算されて、出力端子２３に取り出される。
【００１７】
そしてこの回路において、入力端子１には例えば図２のＡに示すような原信号の映像信号が供給される。これに対して第１及び第２の遅延回路２Ａ、２Ｂからは、それぞれ図２のＢ、Ｃに示すような遅延信号が取り出される。そしてこれらの信号が減算回路３、４に供給されることによって、これらの減算回路３、４からは、それぞれ図２のＤ、Ｅに示すような減算信号が取り出される。
【００１８】
さらにこれらの減算信号が最小値回路５及び最大値回路８に供給されることによって、これらの回路５、８からはそれぞれ図２のＦ、Ｇに示すような負極性及び正極性の信号が取り出される。またこれらの減算信号が最大値回路６及び最小値回路７に供給されることによって、これらの回路６、７からはそれぞれ図２のＨ、Ｉに示すような正極性及び負極性の信号が取り出される。
【００１９】
これらの回路５、８からの負極性及び正極性の信号が乗算回路９に供給されて図２のＪに示すような信号が形成される。また回路５、８からの負極性及び正極性の信号が加算回路１０に供給されて図２のＫに示すような信号が形成される。そしてこの加算信号が増幅回路１４で増幅されてリミッタ回路１５に供給されることによって、図２のＬに示すような３値信号が形成される。
【００２０】
そしてこの３値信号が乗算回路１３に供給されて、乗算回路９からの信号と乗算されることによって、この乗算回路１３からは図２のＭに示すような原信号の立ち上がりの傾斜部のみに相当する補正信号が取り出される。この補正信号が増幅回路１９に供給されて、任意の利得（ｋ２）で増幅されて加算回路２１に供給される。
【００２１】
また上述の回路６、７からの負極性及び正極性の信号が乗算回路１１に供給されて図２のＮに示すような信号が形成される。また回路６、７からの負極性及び正極性の信号が加算回路１２に供給されて図２のＯに示すような信号が形成される。そしてこの加算信号が増幅回路１７で増幅されてリミッタ回路１８に供給されることによって、図２のＰに示すような３値信号が形成される。
【００２２】
そしてこの３値信号が乗算回路１６に供給されて、乗算回路１１からの信号と乗算されることによって、この乗算回路１６からは図２のＱに示すような原信号の立ち下がりの傾斜部のみに相当する補正信号が取り出される。この補正信号が増幅回路２０に供給されて、任意の利得（ｋ２′）で増幅されて加算回路２１に供給される。
【００２３】
これによってこの加算回路２１からは、図２のＲに示すような原信号の立ち上がり及び立ち下がりの傾斜部に相当する輪郭補正信号が取り出される。そしてこの補正信号が加算回路２２に供給されて、第１の遅延回路２Ａの出力信号と加算されることによって、出力端子２３には、図２のＳに示すように原信号の立ち上がり及び立ち下がりの傾斜部が急峻に補正された信号が取り出される。
【００２４】
すなわちこの回路において、入力端子１に供給される原信号として、例えば図２のＡに示すような台形波及び三角波を仮定した場合に、乗算回路９の出力信号Ｊは、遅延信号Ｂの立ち上がり傾斜部内で０→負→０と変化するものとなる。一方、加算回路１０の出力信号Ｋは、遅延信号Ｂの立ち上がり傾斜部の前半部分で正極性、後半部分で負極性となり、この加算信号Ｋを３値化した信号Ｌが形成される。
【００２５】
そしてこの３値信号Ｌが乗算信号Ｊに乗算されることによって、遅延信号Ｂの立ち上がり傾斜部の後半部分で乗算信号Ｊの極性が反転されたものとなる。すなわちこの３値信号Ｌと乗算信号Ｊとの乗算によって、遅延信号Ｂの立ち上がり傾斜部の前半部分で負極性、後半部分で正極性となる補正信号Ｍが形成される。
【００２６】
また、上述の原信号として、例えば図２のＡに示すような台形波及び三角波を仮定した場合に、乗算回路１１の出力信号Ｎは、遅延信号Ｂの立ち下がり傾斜部内で０→負→０と変化するものとなる。一方、加算回路１２の出力信号Ｏは、遅延信号Ｂの立ち下がり傾斜部の前半部分で負極性、後半部分で正極性となり、この加算信号Ｏを３値化した信号Ｐが形成される。
【００２７】
さらにこの３値信号Ｐが乗算信号Ｎに乗算されることによって、遅延信号Ｂの立ち下がり傾斜部の前半部分で乗算信号Ｎの極性が反転されたものとなる。すなわちこの３値信号Ｐと乗算信号Ｎとの乗算によって、遅延信号Ｂの立ち下がり傾斜部の前半部分で正極性、後半部分で負極性となる補正信号Ｑが形成される。
【００２８】
ここでこの回路において、信号Ｊ、ＭまたはＮ、Ｑを得る手段には乗算回路を用いている。従ってこの場合に、入力されるいずれかの信号に交流成分が含まれていない限り出力に信号が現れることがない。これにより、例えば前段の加算回路や最大値、最小値回路でアナログ的なエラー電圧が発生し、これが原信号の傾斜部以外の場合であっても、最終的な補正信号ではこれらが排除され、原信号の傾斜部のみの補正信号を形成することができるものである。
【００２９】
さらにこれらの補正信号Ｍ、Ｑが増幅回路１９、２０に供給されて、それぞれ利得ｋ２及びｋ２′倍に増幅される。そしてこれらの増幅された信号が加算回路２１で加算されることによって、例えば図２のＱに示すような最終的な輪郭補正信号Ｒが形成される。なお、図２においては、利得ｋ２＝ｋ２′＝１の場合が示されている。
【００３０】
そしてこの輪郭補正信号Ｒが加算回路２２に供給されて、遅延回路２Ａからの遅延信号Ｂに加算されることによって、出力端子２３には、図２のＳに示すような、プリシュート、オーバーシュートを付加すること無く、エッジ部分の傾斜のみを急峻にした出力信号Ｓが取り出される。
【００３１】
また、上述の利得ｋ２及びｋ２′の値を０から１に増加するにつれて、出力信号Ｓの立ち上がり立ち下がりの傾斜が急峻になるものである。従ってこれらの利得ｋ２及びｋ２′の値は、使用者の嗜好や周辺機器との接続上の都合等に合わせて自由に設定されるものである。
【００３２】
なお、上述した各部の信号の関係式は以下に示すようになる。
Ａ＝原信号、Ｂ＝ＤＬ（Ａ）、Ｃ＝ＤＬ（Ｂ）〔ＤＬ（  ）は（  ）内の信号を遅延回路で１段遅延したものを示す〕、Ｄ＝Ｂ−Ａ、Ｅ＝Ｂ−Ｃ
Ｆ＝ＭＩＮ（Ｄ，０）〔ＭＩＮ（  ）は（  ）内の信号の最小のものを示す〕、
Ｇ＝ＭＡＸ（Ｅ，０）〔ＭＡＸ（  ）は（  ）内の信号の最大のものを示す〕、
Ｈ＝ＭＡＸ（Ｄ，０）、Ｉ＝ＭＩＮ（Ｅ，０）
Ｊ＝Ｆ×Ｇ、Ｋ＝Ｆ＋Ｇ、Ｌ＝ＬＩＭ（−ｋ１×Ｋ）〔ＬＩＭ（  ）は（  ）内の信号に出力の振幅制限をかけてパルス状にしたものを示す〕、Ｍ＝Ｊ×Ｌ
Ｎ＝Ｈ×Ｉ、Ｏ＝Ｈ＋Ｉ、Ｐ＝ＬＩＭ（−ｋ１×Ｏ）、Ｑ＝Ｎ×Ｐ
Ｒ＝（ｋ２×Ｐ）＋（ｋ２′×Ｑ）、Ｓ＝Ｂ＋Ｒ
【００３３】
従ってこの回路において、第１及び第２の遅延手段からの信号を互いに減算し、この減算信号を正極性及び負極性に分離し、この分離信号の異極性同士を乗算及び加算し、この加算信号を３値化した信号を乗算信号に乗算して補正信号を得ることによって、簡単な構成で画質を損ねること無く、良好な映像信号の輪郭補正を行うことができる。
【００３４】
これによって、従来の回路では、プリシュート、オーバーシュートの付加により色差信号（色信号）の色相が崩れてかえって画質が劣化してしまう恐れがあり、また無関係な位置に補正信号が形成されて画質を損ねてしまう恐れや、回路規模の増大を招く恐れがあったものを、本発明によればこれらの問題点を容易に解消することができるものである。
【００３５】
また上述の回路において、原信号Ａの立ち上がり及び立ち下がりの時間をＴ１、遅延回路２Ａ、２Ｂの１個の遅延時間をＴとすると、図２の説明は、Ｔ１＝２×Ｔの関係で示されており、上述の本発明の回路では理論上この関係を満たしているときが最も効果が上がるものとなっている。
【００３６】
これに対して、例えば上述の特開平２−１６２９６９号公報の回路では、Ｔ１＝Ｔのときが最も効果が上がるものとなっている。このことは、上述の本発明の回路では、最大の効果を発揮するために必要な遅延時間が短くなることを示しており、遅延回路の回路規模の削減に大いに貢献するものである。
【００３７】
なお上述の回路において、遅延回路２Ａ、２Ｂの１個の遅延時間Ｔの長さは、原信号Ａが輝度信号の時には例えばＴ＝８５ｎｓ、原信号Ａが色差信号の時には例えばＴ＝２５０ｎｓに設定することによって、良好な輪郭補正の効果を得ることができるものである。
【００３８】
こうして上述の映像信号の輪郭補正回路によれば、原信号を遅延する第１の遅延手段と、第１の遅延手段の出力信号を遅延する第２の遅延手段と、第１及び第２の遅延手段の入力信号及び出力信号をそれぞれ第１の遅延手段の出力信号から減算する減算回路と、減算回路からの出力信号のそれぞれ正極性及び負極性の信号を取り出す信号分離手段と、信号分離手段からの出力信号の内の互いに異極性の信号同士を乗算及び加算すると共に、加算信号をそれぞれ０値及び正負の所定の値に３値化して乗算信号に乗算する演算手段とを有し、演算手段の出力信号から原信号の傾斜部に相当する補正信号を得ることにより、簡単な構成で画質を損ねること無く、良好な映像信号の輪郭補正を行うことができるものである。
【００３９】
【発明の効果】
従って請求項１の発明によれば、第１及び第２の遅延手段からの信号を互いに減算し、この減算信号を正極性及び負極性に分離し、この分離信号の異極性同士を乗算及び加算し、この加算信号を３値化した信号を乗算信号に乗算して補正信号を得ることによって、簡単な構成で画質を損ねること無く、良好な映像信号の輪郭補正を行うことができるものである。
【００４０】
これによって、従来の回路では、プリシュート、オーバーシュートの付加により色差信号（色信号）の色相が崩れてかえって画質が劣化してしまう恐れがあり、また無関係な位置に補正信号が形成されて画質を損ねてしまう恐れや、回路規模の増大を招く恐れがあったものを、本発明によればこれらの問題点を容易に解消することができるものである。
【図面の簡単な説明】
【図１】本発明の適用される映像信号の輪郭補正回路の一例の構成図である。
【図２】その動作の説明のためのタイムチャート図である。
【符号の説明】
１…入力端子、２Ａ，２Ｂ…遅延回路、３，４…減算回路、５，７…最小値回路、６，８…最大値回路、９，１１…乗算回路、１０，１２…加算回路、１３，１６…乗算回路、１４，１７…増幅回路、１５，１８…リミッタ回路、１９，２０…増幅回路、２１，２２…加算回路、２３…出力端子
【図１】
0003826493.tif 000002
【図２】
0003826493.tif 000003